(57)【要約】【課題】舗装体の周辺の環境条件に応じて舗装体の香りを変更することができる散布装置を提供する。【解決手段】香料供給装置３は、異なる香料を含有する複数の溶液Ｗを区分して貯蔵する地下水槽４と、舗装体２の周辺の環境条件を計測する計測装置５と、溶液Ｗ毎の供給条件を予め記憶する記憶部７１と、複数の溶液Ｗのうち、供給条件が環境条件に適合した溶液Ｗを選択する溶液選択部７２と、溶液選択部７２で選択された溶液Ｗを地下水槽４から舗装体２に供給する供給装置６と、を備えている。【選択図】図１
2010159544.tif 000002
【特許請求の範囲】
【請求項１】
複数の香料を区分して貯蔵する貯蔵手段と、
舗装体の周辺の環境条件を計測する計測手段と、
前記香料毎の供給条件を予め記憶する記憶手段と、
前記複数の香料のうち、前記供給条件が前記環境条件に適合した前記香料を選択する香料選択手段と、
前記香料選択手段で選択された前記香料を前記貯蔵手段から前記舗装体に供給する供給手段と、
を備えることを特徴とする香料供給装置。
【請求項２】
前記計測手段は、前記環境条件として気温、湿度及び時間のうち少なくとも一つを計測することを特徴とする請求項１に記載の香料供給装置。
【請求項３】
香料を貯蔵する貯蔵手段と、前記香料を舗装体に供給する供給手段と、を備えることを特徴とする香料供給装置。
【請求項４】
前記香料を舗装体に供給する時刻を予め記憶する記憶手段と、
前記時刻に基づいて前記供給手段を制御する制御手段と、を備える請求項３に記載の香料供給装置。
【請求項５】
舗装体と、香料を貯蔵する貯蔵手段と、前記香料を前記舗装体に供給する供給手段と、を備えることを特徴とする舗装構造。
【請求項６】
前記舗装体は、水分を保持可能な保水層を有することを特徴とする請求項５に記載の舗装構造。
【発明の詳細な説明】
【技術分野】
【０００１】
本発明は、舗装体に香料を供給する香料供給装置及びこれを備える舗装構造に関する。
【背景技術】
【０００２】
従来、舗装材の製造過程において香料を添加することが行われている。
例えば、特許文献１には、古タイヤ等のリサイクルゴムチップと、顔料、触媒、接着剤及び添加剤とを撹拌・混合して型枠に流し込み、乾燥させてなる舗装用ブロックの製造過程において、舗装用ブロックの設置箇所の風景（環境）に合わせた香料を添加することが開示されている。
【０００３】
一方、環境条件に応じて、路面に凍結防止剤や融雪剤を供給することが行われている。
例えば、特許文献２には、降雪状況、外気温度および路面温度の環境条件の計測検知をセンサーにより行う計測検知手段を備え、計測検知手段からの電気信号に基づいて、予め気候・温度データとして設定入力されているデータを参照して、融雪剤等の溶液を路面上へ散布する散布ポンプ等の作動制御を行う路面凍結防止剤および融雪剤の散布装置が開示されている。
【先行技術文献】
【特許文献】
【０００４】
【特許文献１】実用新案登録第３０１６４１３号公報
【特許文献２】特許第３１７０７０５号公報
【発明の概要】
【発明が解決しようとする課題】
【０００５】
しかしながら、従来の舗装用ブロックでは、舗装材の製造過程において香料を添加しているため、環境や季節などに合わせて事後的に香りを変更することが困難であった。また、香りを持続させることが困難であった。
【０００６】
なお、従来の散布装置では、凍結防止剤等の散布は行われているものの、香料を散布することについてはなんら開示されていない。また、複数の香料を区分して貯留すると共に、香料を選択して供給することについて、なんら開示されていない。
【０００７】
本発明は、これらの事情に鑑みてなされたものであり、舗装体に香料を供給することができる香料供給装置及び舗装構造を提供することを課題とする。
また、本発明は、舗装体の周辺の環境に応じて舗装体の香りを変更することができる香料供給装置及び舗装構造を提供することを他の課題とする。
【課題を解決するための手段】
【０００８】
本発明に係る香料供給装置は、複数の香料を区分して貯蔵する貯蔵手段と、舗装体の周辺の環境条件を計測する計測手段と、前記香料毎の供給条件を予め記憶する記憶手段と、前記複数の香料のうち、前記供給条件が前記環境条件に適合した前記香料を選択する香料選択手段と、前記香料選択手段で選択された前記香料を前記貯蔵手段から前記舗装体に供給する供給手段と、を備えることを特徴とする。
【０００９】
かかる構成によれば、舗装体の周辺の環境条件が計測手段によって計測されると、貯蔵手段に区分して貯蔵された複数の香料の中から、この環境条件に供給条件が適合した香料が香料選択手段によって選択され、選択された香料が供給手段によって舗装体に供給される。そのため、舗装体の周辺の環境条件に適した香りが舗装体に付与されることとなる。
【００１０】
なお、前記計測手段は、環境条件として気温、湿度及び時間のうち少なくとも一つを計測するように構成するのが好ましい。また、各香料の供給条件は、前記計測手段で計測する環境条件をパラメータとするのが好ましい。
また、前記貯蔵手段における香料の貯蔵は、特に限定されるものではなく、香料を溶媒（例えば水）に混合した溶液の状態で貯蔵するようにしてもよいし、香料と溶媒を別々に貯蔵してもよい。
【００１１】
また、本発明に係る香料供給装置は、香料を貯蔵する貯蔵手段と、前記香料を舗装体に供給する供給手段と、を備えることを特徴とする。
また、本発明に係る舗装構造は、舗装体と、香料を貯蔵する貯蔵手段と、前記香料を前記舗装体に供給する供給手段と、を備えることを特徴とする。
【００１２】
かかる構成によれば、香料を貯蔵するとともに、必要に応じて香料を舗装体に供給することができる。そのため、香りを持続させることができると共に、貯蔵している香料を変更すれば、香りを変更することもできる。
【００１３】
また、香料供給装置は、前記香料を舗装体に供給する時刻を予め記憶する記憶手段と、前記時刻に基づいて前記供給手段を制御する制御手段と、を備えるように構成するのが好ましい。
かかる構成によれば、予め設定した時刻に香料を舗装体に供給することができる。
【００１４】
また、前記舗装体は、水分を保持可能な保水層を有するのが好ましい。
このようにすれば、香料を含有する溶液が舗装体の保水層に保持されるので、香りの持続期間を増大させることができる。
【発明の効果】
【００１５】
本発明によれば、舗装体に香料を供給することができる香料供給装置及び舗装構造を提供することが可能となる。
【図面の簡単な説明】
【００１６】
【図１】本実施形態に係る散布装置を備える舗装構造の断面図である。
【図２】制御部のブロック図である。
【図３】散布装置の動作を示すフローチャートである。
【図４】変形例における舗装体の断面図である。
【発明を実施するための形態】
【００１７】
本発明の実施形態について、図面を参照して詳細に説明する。説明において、同一の要素には同一の番号を付し、重複する説明は省略する。
【００１８】
図１は、本実施形態に係る散布装置を備える舗装構造の断面図である。
図１に示すように、舗装構造１は、道路や広場などの路面を構成する舗装体２と、舗装体２に香料を含有する溶液Ｗを供給する香料供給装置３と、を備えている。
【００１９】
舗装体２は、例えばアスファルト舗装であり、表層、基層、路盤などで構成されている。舗装体２の内部には、後記する供給装置６の一部である供給パイプ２１及びノズル２２が配管されている。供給パイプ２１は、道路の横断方向及び縦断方向（図示省略）に配管されている。供給パイプ２１は、溶液Ｗを吐出するための複数のノズル２２を備えている。ノズル２２は、舗装体２の表面２ａに露出（開口）している。
【００２０】
なお、舗装体２の種類は、特に限定されるものではなく、アスファルト舗装の他、コンクリート舗装や、ブロック舗装、張石舗装など、どのような舗装であってもよい。また、保水性舗装、透水性舗装、半たわみ性舗装などの特殊舗装であってもよい。特に、透水性舗装を採用すれば、歩行者への水跳ねがなく好適である。
【００２１】
香料供給装置３は、舗装体２に香料を含有する溶液Ｗを供給する装置である。香料供給装置３は、例えば道路脇の緑地などに設置されている。香料供給装置３としては、例えば、冬季に凍結防止剤を路面に散布する凍結防止剤散布装置などを改良して利用することができる。
香料供給装置３は、香料を含有する溶液Ｗを貯留する地下水槽４と、舗装体２の周辺の環境条件を計測する計測装置５と、溶液Ｗを舗装体２に供給する供給装置６と、供給装置６を制御する制御部７と、を主に備えている。
【００２２】
地下水槽４は、香料を含有する溶液Ｗを貯留するコンクリート製の箱型の水槽であり、地下に埋設されている。地下水槽４は、２つの隔壁４１によって、３つの空間Ｓ１，Ｓ２，Ｓ３に区分されている。地下水槽４の上部は、コンクリート製の蓋体４２によって閉塞されている。
また、図示は省略するが、地下水槽４は、各空間Ｓ１，Ｓ２，Ｓ３内の溶液Ｗの残量を計測する計量装置と、各空間Ｓ１，Ｓ２，Ｓ３に溶液Ｗを供給（補充）する溶液供給部と、を備えている。
【００２３】
地下水槽４に貯留される溶液Ｗは、例えば３種類の溶液Ｗ１，Ｗ２，Ｗ３で構成されている。溶液Ｗ１は、例えば凍結防止剤を含有する溶液であり、空間Ｓ１に貯留されている。溶液Ｗ２は、香料を含有する溶液であり、空間Ｓ２に貯留されている。溶液Ｗ３は、溶液Ｗ２と異なる香料を含有する溶液であり、空間Ｓ３に貯留されている。
【００２４】
なお、本実施形態では、香料を溶媒に混合した状態（溶液状態）で貯蔵することとしたが、香料と溶媒（例えば水）とを別々に貯蔵して、舗装体２に供給する段階で両者を混合するようにしてもよい。
【００２５】
香料は、植物や動物から抽出した天然香料、化学的に合成した合成香料、又は、これらを混合した香料など、どのような香料であってもよい。
ちなみに、本実施形態では、溶液Ｗ２には、夏季の早朝に良く似合う清々しい香り（例えば夏みかんの香り）の香料が混入されている。また、溶液Ｗ３には、昼間の活動を促す香り（例えばペパーミントの香り）の香料が混入されている。
【００２６】
計測装置５は、舗装体２の周辺の環境条件を計測する装置である。具体的には、計測装置５は、気温Ｔ、湿度、降水量Ｑ、時刻Ｈなどを計測している。計測装置５で計測した計測データは、後記する制御部７に送られる。
【００２７】
供給装置６は、地下水槽４に貯留されている溶液Ｗを舗装体２に供給する装置である。供給装置６は、吸い上げ用パイプ６１，６２，６３と、集合パイプ６４と、ポンプＰと、電磁弁Ｖ１，Ｖ２，Ｖ３と、前記した供給パイプ２１と、複数のノズル２２と、を備えている。
【００２８】
吸い上げ用パイプ６１，６２，６３は、地下水槽４の各空間Ｓ１，Ｓ２，Ｓ３から各溶液Ｗ１，Ｗ２，Ｗ３を吸い上げるためのパイプである。吸い上げ用パイプ６１，６２，６３の下端側は、各空間Ｓ１，Ｓ２，Ｓ３に挿入されている。吸い上げ用パイプ６１，６２，６３の上端側は、集合パイプ６４に接続されている。
集合パイプ６４は、吸い上げ用パイプ６１，６２，６３とポンプＰとを接続するパイプである。
ポンプＰは、地下水槽４の各空間Ｓ１，Ｓ２，Ｓ３から各溶液Ｗ１，Ｗ２，Ｗ３を吸い上げる装置である。ポンプＰの上流側には、集合パイプ６４が接続されている。また、ポンプＰの下流側には、前記した供給パイプ２１が接続されている。
電磁弁Ｖ１，Ｖ２，Ｖ３は、吸い上げ用パイプ６１，６２，６３をそれぞれ開閉する装置であり、吸い上げ用パイプ６１，６２，６３の中間部に設置されている。電磁弁Ｖ１，Ｖ２，Ｖ３は、制御部７に電気的に接続されており、開閉の組み合わせを切り替えることにより、吸い上げる溶液Ｗ（香料）を選択できるようになっている。
【００２９】
図２は、制御部のブロック図である。
制御部７は、供給装置６を制御する装置である。制御部７は、例えばＣＰＵなどの演算処理装置と、ＲＡＭやＲＯＭなどの記憶装置と、を含んで構成されている。
制御部７は、記憶部７１と、溶液選択部７２と、バルブ制御部７３と、ポンプ制御部７４と、を備えている。
【００３０】
記憶部７１は、予め設定された各溶液Ｗ１，Ｗ２，Ｗ３の供給条件（すなわち各香料の供給条件）を記憶する機能を有している。
本実施形態では、溶液Ｗ１の供給条件は、降雨量Ｑが閾値ＱＡ（例えばＱＡ＝０ｍｍ／ｈｏｕｒ）よりも大きく、気温Ｔが閾値ＴＡ（例えばＴＡ＝０℃）以下の場合に、舗装体２に供給されるように設定されている（図３参照）。
また、溶液Ｗ２の供給条件は、降雨量Ｑが閾値ＱＡ以下であり、気温Ｔが閾値ＴＡよりも大きく、かつ、時刻Ｈが６：００から９：００の間である場合に、舗装体２に供給されるように設定されている。
また、溶液Ｗ３の供給条件は、降雨量Ｑが閾値ＱＡ以下であり、気温Ｔが閾値ＴＡよりも大きく、かつ、時刻Ｈが９：００から１５：００の間である場合に、舗装体２に供給されるように設定されている。
また、記憶部７１は、各溶液Ｗ１，Ｗ２，Ｗ３と、これらを貯留している各空間Ｓ１，Ｓ２，Ｓ３と、を関連付けて記憶している。
【００３１】
溶液選択部７２は、計測装置５から送られてくる環境条件の計測データに基づいて、記憶部７１に予め記憶されている各溶液Ｗ１，Ｗ２，Ｗ３の供給条件を参照し、各溶液Ｗ１，Ｗ２，Ｗ３のうち、供給条件が環境条件に適合した溶液Ｗを、舗装体２に供給する溶液Ｗとして選択する機能を有している。
溶液選択部７２は、選択した溶液Ｗに関する溶液選択信号を、バルブ制御部７３に送信するように構成されている。
なお、かかる溶液選択部７２が、特許請求の範囲における「香料選択手段」に相当する。
【００３２】
バルブ制御部７３は、溶液選択部７２から送られた溶液選択信号に基づいて、選択された溶液Ｗが貯留されている空間Ｓに対応する電磁弁Ｖを開放し、それ以外の電磁弁Ｖを閉鎖する信号を、各電磁弁Ｖ１，Ｖ２，Ｖ３に送信する機能を有している。
バルブ制御部７３は、各電磁弁Ｖ１，Ｖ２，Ｖ３に開閉信号を送信した後、ポンプ制御部７４に開閉完了信号を送信するように構成されている。
【００３３】
ポンプ制御部７４は、ポンプＰの駆動及び停止を制御する機能を有している。ポンプ制御部７４は、バルブ制御部７３から開閉完了信号を受信すると、ポンプＰに駆動命令信号を送信してポンプＰを駆動するように構成されている。また、ポンプ制御部７４は、所定の作動時間が経過した後に、ポンプＰを停止するように構成されている。
このように、制御部７は、環境条件に基づいて供給装置６（より詳しくは電磁弁Ｖ及びポンプＰ）を制御することにより、供給パイプ２１及びノズル２２を介して舗装体２に、選択された溶液Ｗを供給するように構成されている。
【００３４】
つづいて、本実施形態に係る香料供給装置３の動作について、主に図３（適宜図１，２）を参照して説明する。図３は、散布装置の動作を示すフローチャートである。
【００３５】
図３に示すように、始めに、香料供給装置３の制御部７の溶液選択部７２（図２参照）は、計測装置５によって計測された降雨量Ｑが、閾値ＱＡ（例えばＱＡ＝０ｍｍ／ｈｏｕｒ）よりも大きいか否かを判定する（ステップＳ１）。
【００３６】
降雨量Ｑが０ｍｍ／ｈｏｕｒ以下である場合（ステップＳ１，Ｎｏ）には、溶液選択部７２は、次に、気温Ｔが閾値ＴＡ（例えばＴＡ＝０℃）よりも大きいか否かを判定する（ステップＳ２）。
【００３７】
気温Ｔが０℃よりも大きい場合、つまり、雨が降っておらず凍結のおそれもない場合（ステップＳ２，Ｙｅｓ）は、溶液選択部７２は、時刻Ｈが、６：００から９：００の間であるか否かを判定する（ステップＳ３）。
【００３８】
時刻Ｈが６：００から９：００の間である場合（ステップＳ３，Ｙｅｓ）は、溶液選択部７２は、記憶部７１に予め記憶されている各溶液Ｗの供給条件を参照して、舗装体２に供給する溶液Ｗとして、夏季の早朝に良く似合う清々しい香りの香料を含有する溶液Ｗ２を選択する。そして、溶液選択部７２は、バルブ制御部７３に溶液Ｗ２を選択した旨の信号を送信する。
【００３９】
バルブ制御部７３は、溶液Ｗ２が選択された旨の信号を受けると、記憶部７１に予め記憶されている各溶液Ｗと各空間Ｓとの対応関係を参照して、溶液Ｗ２が貯留されている空間Ｓ２に対応する電磁弁Ｖ２を開状態にし、他の電磁弁Ｖ１，Ｖ３を閉状態にする（ステップＳ８）。
また、バルブ制御部７３は、各電磁弁Ｖの開閉を設定した後に、ポンプ制御部７４に開閉完了信号を送信する。
【００４０】
開閉完了信号を受信したバルブ制御部７３は、ポンプＰを作動し（ステップＳ１０）、溶液Ｗ２を吸い上げ、供給パイプ２１及びノズル２２を介して舗装体２に溶液Ｗ２を供給する。これにより、舗装体２に夏季の早朝に良く似合う清々しい香りの香料が供給され、道路を利用する人の気分が良くなる。
【００４１】
一方、時刻Ｈが６：００から９：００の間ではなく（ステップＳ３，Ｎｏ）、９：００から１５：００の間である場合（ステップＳ４，Ｙｅｓ）には、溶液選択部７２は、記憶部７１に予め記憶されている各溶液Ｗの供給条件を参照して、舗装体２に供給する溶液Ｗとして、昼間の活動を促す香りの香料を含有する溶液Ｗ３を選択する。そして、溶液選択部７２は、バルブ制御部７３に溶液Ｗ３を選択した旨の信号を送信する。
【００４２】
バルブ制御部７３は、溶液Ｗ３が選択された旨の信号を受けると、記憶部７１に予め記憶されている各溶液Ｗと各空間Ｓとの対応関係を参照して、溶液Ｗ３が貯留されている空間Ｓ３に対応する電磁弁Ｖ３を開状態にし、他の電磁弁Ｖ１，Ｖ２を閉状態にする（ステップＳ９）。
また、バルブ制御部７３は、各電磁弁Ｖの開閉を設定した後に、ポンプ制御部７４に開閉完了信号を送信する。
【００４３】
開閉完了信号を受信したバルブ制御部７３は、ポンプＰを作動し（ステップＳ１０）、溶液Ｗ３を吸い上げ、供給パイプ２１及びノズル２２を介して舗装体２に溶液Ｗ３を供給する。これにより、舗装体２に昼間の活動を促す香りの香料が供給され、道路を利用する人の活動が促される。
【００４４】
なお、時刻Ｈが、６時前又は１５時以降である場合には、節約のため、ポンプＰを停止して、舗装体２への溶液Ｗの供給を見合わせる（ステップＳ５）。
【００４５】
ところで、降雨量Ｑが０ｍｍ／ｈｏｕｒよりも大きい場合（ステップＳ１，Ｙｅｓ）には、溶液選択部７２は、次に、気温Ｔが閾値ＴＡ（例えばＴＡ＝０℃）よりも大きいか否かを判定する（ステップＳ６）。
【００４６】
そして、気温Ｔが０℃以下の場合（ステップＳ６，Ｎｏ）は、溶液選択部７２は、記憶部７１に予め記憶されている各溶液Ｗの供給条件を参照して、舗装体２に供給する溶液Ｗとして、凍結防止剤を含有する溶液Ｗ１を選択する。そして、溶液選択部７２は、バルブ制御部７３に溶液Ｗ１を選択した旨の信号を送信する。
【００４７】
バルブ制御部７３は、溶液Ｗ１が選択された旨の信号を受けると、記憶部７１に予め記憶されている各溶液Ｗと各空間Ｓとの対応関係を参照して、溶液Ｗ１が貯留されている空間Ｓ１に対応する電磁弁Ｖ１を開状態にし、他の電磁弁Ｖ２，Ｖ３を閉状態にする（ステップＳ７）。
また、バルブ制御部７３は、各電磁弁Ｖの開閉を設定した後に、ポンプ制御部７４に開閉完了信号を送信する。
【００４８】
開閉完了信号を受信したバルブ制御部７３は、ポンプＰを駆動し、凍結防止剤を含有する溶液Ｗ１を吸い上げ、供給パイプ２１及びノズル２２を介して舗装体２に溶液Ｗ１を供給する。これにより、路面の凍結が防止される。
【００４９】
一方、降雨量Ｑが０ｍｍ／ｈｏｕｒより大きく、かつ、気温Ｔが０℃よりも大きい場合（ステップＳ６，Ｙｅｓ）は、凍結防止剤を散布する必要がなく、また、香料を散布してもすぐに流れ去ってしまうので、ポンプＰを停止して、舗装体２への溶液Ｗの供給を見合わせる（ステップＳ５）。
【００５０】
また、降雨量Ｑが０ｍｍ／ｈｏｕｒ以下で、かつ、気温Ｔが０℃以下である場合（ステップＳ２，Ｎｏ）は、香料を含有する溶液Ｗを散布すると凍結するおそれがあるため、ポンプＰを停止して、舗装体２への溶液Ｗの供給を見合わせる（ステップＳ５）。
【００５１】
以上のような香料供給装置３によれば、舗装体２の周辺の環境条件を計測装置５によって計測し、地下水槽４に区分して貯蔵された複数の溶液Ｗ１，Ｗ２，Ｗ３の中から、この環境条件に供給条件が適合した溶液Ｗを制御部７の溶液選択部７２によって選択し、選択された溶液Ｗを供給装置６によって舗装体２に供給するので、環境条件に適した香りを舗装体２に付与することができる。
【００５２】
また、地下水槽４に貯留されている溶液Ｗの種類を変更することにより、香りを容易に変更することができる。そのため、舗装体２の使用条件に合わせて香りを変更することができる。例えば、舗装体２が公園などの広場の路面を構成している場合、広場で行われるイベントに合わせて香料を変更することにより、イベントに適した香りを提供することができる。
【００５３】
＜変形例＞
前記した実施形態においては、舗装体２を通常のアスファルト舗装としたが、舗装体２としていわゆる保水性舗装を用いてもよい。なお、保水性舗装とは、その表面から水蒸気を発散させることにより、気化熱によって路面の熱を奪い、路面温度を低下させる機能を有する舗装である。
【００５４】
以下に、舗装体２として保水性舗装を用いた変形例について、図４を参照して説明する。説明において、前記した実施形態と同一の要素には同一の符号を付して重複する説明を省略する。
【００５５】
図４は、変形例における舗装体の断面図である。
図４に示すように、保水性舗装１０は、路盤１１と、遮水層１２と、給水層１３と、保水層１４と、をこの順番に積層して構成されており、給水層１３には、供給パイプ２１が配管されている。
【００５６】
遮水層１２は、給水層１３に供給される水が路盤１１に染み込むのを防止する層であり、例えば、比較的密度の高い粘土層などによって構成されている。なお、遮水層１２として、合成樹脂製の遮水シートを用いてもよい。
【００５７】
給水層１３は、保水層１４に水分を供給するための層である。給水層１３は、例えば、粒径が２ｍｍ〜２０ｍｍ程度の骨材１３ａとアスファルトとを混合して形成したいわゆる開粒度アスファルト混合物の連続空隙に、粒径が０．１５ｍｍ〜０．６ｍｍ程度の珪砂１３ｂを充填して構成されている。また、給水層１３には、供給パイプ２１が配置されている。供給パイプ２１には複数の貫通孔２１ａが設けられており、香料供給装置３（図１参照）のポンプＰから供給された溶液Ｗを給水層１３に供給するようになっている。給水層１３に供給された溶液Ｗは、珪砂１３ｂの毛細管現象によって吸い上げられて、保水層１４に供給される。
【００５８】
保水層１４は、例えば、粒径が２ｍｍ〜２０ｍｍ程度の骨材１４ａとアスファルトとを混合して形成した開粒度アスファルト混合物の連続空隙に、保水性グラウト１４ｂを充填して構成されている。
保水性グラウト１４ｂは、公知のものを利用可能であるが、例えば、シルト系粉末と、セメント系固化剤と、減水剤あるいは凝結遅延剤等の添加剤とを所定配合で混合したものを用いることができる。
【００５９】
かかる構成によれば、保水性舗装１０によって路面の温度上昇を抑制することができると共に、香料を含有する溶液Ｗが保水性舗装１０に保水されるので、香りの持続時間を長くすることができる。また、香料として、暑さを緩和するタイプの香料を用いれば、路面を涼しくする効果を向上させることができる。
【００６０】
以上、本発明の実施形態について図面を参照して詳細に説明したが、本発明はこれに限定されるものではなく、発明の主旨を逸脱しない範囲で適宜変更可能である。
【００６１】
例えば、本実施形態では、貯蔵手段たる地下水槽４において、複数の香料を区分して貯蔵することとしたが、本発明はこれに限定されるものではなく、１種類の香料を貯蔵するようにしてもよい。
かかる場合においても、舗装体２に香料を供給することができるので、香りを長時間持続させることができる。また、貯蔵する香料を変更することにより、香りを事後的に変更することができる。
【００６２】
また、本実施形態では、計測装置５で計測した舗装体２の周辺の環境条件に基づいて香料を舗装体２に供給することとしたが、これに限定されるものではなく、例えば、香料を供給する時刻を予め記憶部７１に記憶しておき、計測装置５で計測した時刻と記憶部７１に記憶した時刻が一致した香料を舗装体２に供給するようにしてもよい。このようにすれば、計測装置５を簡略化することにより、コストを削減することができる。
【００６３】
また、本実施形態では、舗装体２の内部に配管２１を埋設したが、舗装体２の表面２ａに溝を形成し、その溝に香料（又は香料を含む溶液）を流すようにしてもよい。
【００６４】
また、本実施形態では、溶液Ｗに香料を含有させることとしたが、例えば、臭気の強い環境では、消臭成分を含有した溶液を散布するようにしてもよい。また、防虫臭を発する香料を含有させてもよい。
【００６５】
また、舗装体２を利用する利用者に応じて、香りを変更してもよい。利用者としては、幼児、小学生、中学生、高校生、大学生、社会人、老人、男性、女性などが考えられる。これらの利用者のうち、特定の利用者が多い時間帯（例えば小学生の通学時間）に合わせて、特定の利用者に好まれる香料を含有する溶液Ｗを舗装体２に供給するようにしてもよい。
【００６６】
また、本発明とは異なるが、路面にカビ等が発生しやすい場所では、防カビ剤を含有する溶液を散布するようにしても良い。
【符号の説明】
【００６７】
１      舗装構造
２      舗装体
３      散布装置
４      地下水槽
４１    隔壁
５      計測装置
６      溶液供給装置
７      制御部
７１    記憶部
７２    溶液選択部
７３    バルブ制御部
７４    ポンプ制御部
Ｐ      ポンプ
Ｗ      溶液
【図１】
2010159544.tif 000003
【図２】
2010159544.tif 000004
【図３】
2010159544.tif 000005
【図４】
2010159544.tif 000006